【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
ワイヤレスネットワークにおいて通信するための方法であって、
ネットワークエンティティから、送信時間間隔(TTI)において、アップリンクチャネルを送信するためのリソース許可を受信するステップであって、前記アップリンクチャネルが、アップリンク制御チャネルまたはアップリンクデータチャネルであり、前記リソース許可が、前記アップリンクチャネルを送信する前記TTIの第1のアップリンクチャネルシンボルを示し、かつ、前記リソース許可が、前記TTIの前記第1のアップリンクチャネルシンボルに先行する少なくとも1つのシンボルにおいて、前記アップリンクチャネルのための復調基準信号(RS)を送信することを示す、ステップと、
前記復調RSを送信することを示す前記リソース許可に基づいて、前記アップリンクチャネルシンボルに先行する前記少なくとも1つのシンボルにおいて、前記復調RSを送信するステップと、
前記TTIの前記アップリンクチャネルシンボルにおいて、前記アップリンクチャネルを送信するステップと
を含む方法。
【請求項２】
前記TTIはサブフレーム内の2つのシンボル持続時間であり、前記サブフレームは複数のシンボルを備える、請求項1に記載の方法。
【請求項３】
前記TTIは、直交周波数分割多重化(OFDM)シンボルまたはシングルキャリア周波数分割多重化(SC-FDM)シンボルのいずれかに基づく、請求項1に記載の方法。
【請求項４】
前記復調RSを送信するステップ、および、前記アップリンクチャネルを送信するステップは、前記少なくとも1つのシンボルにおいて前記復調RSを含み、かつ、前記アップリンクチャネルシンボルに先行する、2つのシンボルTTIとして、信号を送信するステップを含む、請求項1に記載の方法。
【請求項５】
前記復調RSは、前記アップリンクチャネルのものに類似する帯域幅サイズ、周波数位置、またはアンテナポートの数のうちの少なくとも1つを有する、請求項1に記載の方法。
【請求項６】
前記TTIに先行する異なるTTIにおいて、前記復調RSを送信するステップをさらに含む、請求項1に記載の方法。
【請求項７】
前記インジケータは、2つ以上の異なるTTIにおける前記復調RSの送信をトリガする、請求項1に記載の方法。
【請求項８】
前記復調RSは、サイクリックシフト、帯域幅、周波数位置、ホッピングパターン、アンテナポートの数、またはコムレベルのうちの少なくとも1つに関連付けられる、請求項1に記載の方法。
【請求項９】
前記リソース許可は、前記ネットワークエンティティからの前記復調RSに対する周期的なRSトリガの一部として、前記復調RSを送信することを示す、請求項1に記載の方法。
【請求項１０】
前記リソース許可は、前記ネットワークエンティティからの前記復調RSに対する非周期的なRSトリガの一部として、前記復調RSを送信することを示す、請求項1に記載の方法。
【請求項１１】
前記復調RSを送信する周期性を構成するために、前記ネットワークエンティティから無線リソース制御(RRC)通信を受信するステップをさらに含む、請求項1に記載の方法。
【請求項１２】
前記ネットワークエンティティからダウンリンク制御情報における前記リソース許可を受信するステップをさらに含む請求項1に記載の方法。
【請求項１３】
前記リソース許可で指定された前記アップリンクチャネルシンボルに先行する前記少なくとも1つのシンボルにわたってリソースにおける通信の送信よりも前記復調RSの送信を優先するステップをさらに含む、請求項1に記載の方法。
【請求項１４】
前記リソース許可は、ロングタームエボリューションにおいて、物理アップリンク制御チャネル、物理アップリンク共有チャネル、またはサウンディング基準信号のうちの1つに対応する、請求項13に記載の方法。
【請求項１５】
ワイヤレスネットワークにおいて通信するためのユーザ機器であって、
トランシーバと、
前記ワイヤレスネットワークにおいて通信するためのバスを介して前記トランシーバと通信可能に結合された少なくとも1つのプロセッサと、
前記バスを介して前記少なくとも1つのプロセッサおよび/または前記トランシーバと通信可能に結合されたメモリと
を備え、
前記少なくとも1つのプロセッサおよび前記メモリは、
ネットワークエンティティから、送信時間間隔(TTI)において、アップリンクチャネルを送信するためのリソース許可を受信することであって、前記アップリンクチャネルが、アップリンク制御チャネルまたはアップリンクデータチャネルであり、前記リソース許可が、前記アップリンクチャネルを送信する前記TTIの第1のアップリンクチャネルシンボルを示し、かつ、前記リソース許可が、前記TTIの前記第1のアップリンクチャネルシンボルに先行する少なくとも1つのシンボルにおいて、前記アップリンクチャネルのための復調基準信号(RS)を送信することを示す、受信することと、
前記復調RSを送信することを示す前記リソース許可に基づいて、前記アップリンクチャネルシンボルに先行する前記少なくとも1つのシンボルにおいて、前記復調RSを送信することと、
前記TTIの前記アップリンクチャネルシンボルにおいて、前記アップリンクチャネルを送信することと
を行うように動作可能であるユーザ機器。
【請求項１６】
前記TTIはサブフレーム内の2つのシンボル持続時間であり、前記サブフレームは複数のシンボルを備える、請求項15に記載のユーザ機器。
【請求項１７】
前記TTIは、直交周波数分割多重化(OFDM)シンボルまたはシングルキャリア周波数分割多重化(SC-FDM)シンボルのいずれかに基づく、請求項15に記載のユーザ機器。
【請求項１８】
前記少なくとも1つのプロセッサおよび前記メモリは、前記少なくとも1つのシンボルにおいて前記復調RSを含み、かつ、前記アップリンクチャネルシンボルに先行する、2つのシンボルTTIとして、信号を送信することによって、少なくとも部分的に、前記復調RSおよび前記アップリンクチャネルを送信するように動作可能である、請求項15に記載のユーザ機器。
【請求項１９】
前記少なくとも1つのプロセッサおよび前記メモリは、前記TTIに先行する異なるTTIにおいて、前記復調RSを送信するようにさらに動作可能である、請求項15に記載のユーザ機器。
【請求項２０】
前記復調RSは、サイクリックシフト、帯域幅、周波数位置、ホッピングパターン、アンテナポートの数、またはコムレベルのうちの少なくとも1つに関連付けられる、請求項15に記載のユーザ機器。
【請求項２１】
前記リソース許可は、前記ネットワークエンティティからの前記復調RSに対する周期的なRSトリガまたは非周期的なRSトリガの一部として、前記復調RSを送信することを示す、請求項15に記載のユーザ機器。
【請求項２２】
前記少なくとも1つのプロセッサおよび前記メモリは、前記復調RSを送信する周期性を構成するために、前記トランシーバを介して、前記ネットワークエンティティから無線リソース制御(RRC)通信を受信するようにさらに動作可能である、請求項15に記載のユーザ機器。
【請求項２３】
前記少なくとも1つのプロセッサおよび前記メモリは、前記トランシーバを介して、前記ネットワークエンティティからダウンリンク制御情報において前記リソース許可を受信するようにさらに動作可能である、請求項15に記載のユーザ機器。
【請求項２４】
前記少なくとも1つのプロセッサおよび前記メモリは、前記リソース許可で指定された前記アップリンクチャネルシンボルに先行する前記少なくとも1つのシンボルにわたってリソースにおける通信の送信よりも前記復調RSの送信を優先するようにさらに動作可能である、請求項15に記載のユーザ機器。
【請求項２５】
ワイヤレスネットワークにおいて通信するためのユーザ機器であって、
ネットワークエンティティから、送信時間間隔(TTI)において、アップリンクチャネルを送信するためのリソース許可を受信するための手段であって、前記アップリンクチャネルが、アップリンク制御チャネルまたはアップリンクデータチャネルであり、前記リソース許可が、前記アップリンクチャネルを送信する前記TTIの第1のアップリンクチャネルシンボルを示し、かつ、前記リソース許可が、前記TTIの前記第1のアップリンクチャネルシンボルに先行する少なくとも1つのシンボルにおいて、前記アップリンクチャネルのための復調基準信号(RS)を送信することを示す、手段と、
前記復調RSを送信することを示す前記リソース許可に基づいて、前記アップリンクチャネルシンボルに先行する前記少なくとも1つのシンボルにおいて、前記復調RSを送信するための手段と、
前記TTIの前記アップリンクチャネルシンボルにおいて、前記アップリンクチャネルを送信するための手段と
を備えるユーザ機器。
【請求項２６】
前記TTIはサブフレーム内の2つのシンボル持続時間であり、前記サブフレームは複数のシンボルを備える、請求項25に記載のユーザ機器。
【請求項２７】
前記TTIは、直交周波数分割多重化(OFDM)シンボルまたはシングルキャリア周波数分割多重化(SC-FDM)シンボルのいずれかに基づく、請求項25に記載のユーザ機器。
【請求項２８】
ワイヤレスネットワークにおいて通信するためのコンピュータ実行可能コードを備えるコンピュータ可読記憶媒体であって、前記コードは、
ネットワークエンティティから、送信時間間隔(TTI)において、アップリンクチャネルを送信するためのリソース許可を受信するためのコードであって、前記アップリンクチャネルが、アップリンク制御チャネルまたはアップリンクデータチャネルであり、前記リソース許可が、前記アップリンクチャネルを送信する前記TTIの第1のアップリンクチャネルシンボルを示し、かつ、前記リソース許可が、前記TTIの前記第1のアップリンクチャネルシンボルに先行する少なくとも1つのシンボルにおいて、前記アップリンクチャネルのための復調基準信号(RS)を送信することを示す、コードと、
前記復調RSを送信することを示す前記リソース許可に基づいて、前記アップリンクチャネルシンボルに先行する前記少なくとも1つのシンボルにおいて、前記復調RSを送信するためのコードと、
前記TTIの前記アップリンクチャネルシンボルにおいて、前記アップリンクチャネルを送信するためのコードと
を備える非一時的コンピュータ可読記憶媒体。
【請求項２９】
前記TTIはサブフレーム内の2つのシンボル持続時間であり、前記サブフレームは複数のシンボルを備える、請求項28に記載の非一時的コンピュータ可読記憶媒体。
【請求項３０】
前記TTIは、直交周波数分割多重化(OFDM)シンボルまたはシングルキャリア周波数分割多重化(SC-FDM)シンボルのいずれかに基づく、請求項28に記載の非一時的コンピュータ可読記憶媒体。